(57)【要約】【課題】従来、移送中の育苗容器間に隙間があると、育苗容器内に土や種子が入らずに溢れて無駄になるという課題がある。【解決手段】育苗容器を移送する移送手段２を有する移送台１の上方位置に、育苗容器に床土を供給する床土供給装置１５と、種子を供給する種子供給装置１７と、水を供給する灌水装置と、覆土を供給する覆土供給装置２５とを設けて構成した播種装置において、前記移送台１は、支脚３により床上に載置され前記移送手段２を有する移送台フレーム５に育苗容器の移送方向に分割形成し、移送台１の各上手側移送台フレーム５と各下手側移送台フレーム５との間には上手側移送台フレーム５から下手側移送台フレーム５へ回転を伝達する回転伝動部３０をそれぞれ設け、各回転伝動部３０のうち所定の回転伝動部３０には上手側移送台フレーム５から下手側移送台フレーム５へ伝達する回転を減速する減速手段３５を設けた播種装置。【選択図】  図１
2019187254.tif 000002
【特許請求の範囲】
【請求項１】
育苗容器を移送する移送手段２を有する移送台１の上方位置に、育苗容器に床土を供給する床土供給装置１５と、育苗容器に種子を供給する種子供給装置１７と、育苗容器に水を供給する灌水装置と、育苗容器に覆土を供給する覆土供給装置２５とを設けて構成した播種装置において、前記移送台１は、支脚３により床上に載置され前記移送手段２を有する移送台フレーム５に育苗容器の移送方向に分割形成し、移送台１の各上手側移送台フレーム５と各下手側移送台フレーム５との間には上手側移送台フレーム５から下手側移送台フレーム５へ回転を伝達する回転伝動部３０をそれぞれ設け、各回転伝動部３０のうち所定の回転伝動部３０には上手側移送台フレーム５から下手側移送台フレーム５へ伝達する回転を減速する減速手段３５を設けた播種装置。
【請求項２】
請求項１において、各回転伝動部３０のうち減速手段３５を設けた回転伝動部３０にはワンウェイクラッチ３６を設けた播種装置。
【請求項３】
請求項２において、上手側移送台フレーム５の移送中の後続育苗容器が下手側の移送台フレーム５の移送中の先行育苗容器を押すと、前記ワンウェイクラッチ３６が空転する構成とした播種装置。
【請求項４】
請求項１〜請求項３において、各移送台フレーム５のうち、前記種子供給装置１７を設けた移送台フレーム５と、該種子供給装置１７を設けた移送台フレーム５の移送方向上手側の移送台フレーム５との間に設けた回転伝動部３０には、減速手段３５およびワンウェイクラッチ３６を設けた播種装置。
【請求項５】
請求項２〜請求項４において、前記種子供給装置１７を設けた移送台フレーム５の移送方向上手側の移送台フレーム５には、前記床土供給装置１５、または、前記床土供給装置１５および灌水装置、あるいは、移送手段２のみの何れかを設けた播種装置。
【請求項６】
請求項１〜請求項５において、前記回転伝動部３０は、上手側移送台フレーム５に設けた上手側伝達歯車３１と、下手側移送台フレーム５に設けた下手側歯車３２と、前記上手側伝達歯車３１と前記下手側歯車３２に掛け回したチェン３３とを有し、回転伝動部３０の上手側伝達歯車３１と下手側歯車３２との歯数を相違させて前記減速手段３５を構成し、前記下手側歯車３２にワンウェイクラッチ３６を内蔵させて構成した播種装置。
【発明の詳細な説明】
【技術分野】
【０００１】
本発明は、育苗容器用播種装置に関するものである。
【背景技術】
【０００２】
従来、育苗容器を移送する移送ロールを複数並設した移送台の上方に、下方を移送中の育苗容器に床土を供給する床土供給装置と種子供給装置と灌水装置と覆土供給装置を設けた構成は、公知である（特許文献１参照）
【先行技術文献】
【特許文献】
【０００３】
【特許文献１】特開２０１３−１４１４２８号公報
【発明の概要】
【発明が解決しようとする課題】
【０００４】
前記公知例は、単に、移送台に育苗容器を供給し、供給した育苗容器が移送中に土や種子を供給する構成のため、移送中の育苗容器間に隙間があると、育苗容器内に土や種子が入らずに溢れて無駄になるという課題がある。
また、溢れた土や種子が播種装置の各部に付着し、作動が安定しないという課題がある。
本願は、育苗容器内に土や種子が入らずに溢れるのを防止するために減速手段の構成を採用すると共に、減速手段の採用に伴う下手側の移送手段に掛かる負荷を軽減できるようにしたものであり、特に、プラント播種装置と当業者に称されている時間当たりの播種可能な育苗容器の数の多い播種装置において、顕著な効果を奏するようにしたものである。
【課題を解決するための手段】
【０００５】
請求項１の発明は、育苗容器を移送する移送手段２を有する移送台１の上方位置に、育苗容器に床土を供給する床土供給装置１５と、育苗容器に種子を供給する種子供給装置１７と、育苗容器に水を供給する灌水装置と、育苗容器に覆土を供給する覆土供給装置２５とを設けて構成した播種装置において、前記移送台１は、支脚３により床上に載置され前記移送手段２を有する移送台フレーム５に育苗容器の移送方向に分割形成し、移送台１の各上手側移送台フレーム５と各下手側移送台フレーム５との間には上手側移送台フレーム５から下手側移送台フレーム５へ回転を伝達する回転伝動部３０をそれぞれ設け、各回転伝動部３０のうち所定の回転伝動部３０には上手側移送台フレーム５から下手側移送台フレーム５へ伝達する回転を減速する減速手段３５を設けた播種装置としたものである。
請求項２の発明は、各回転伝動部３０のうち減速手段３５を設けた回転伝動部３０にはワンウェイクラッチ３６を設けた播種装置としたものである。
請求項３の発明は、上手側移送台フレーム５の移送中の後続育苗容器が下手側の移送台フレーム５の移送中の先行育苗容器を押すと、前記ワンウェイクラッチ３６が空転する構成とした播種装置としたものである。
請求項４の発明は、各移送台フレーム５のうち、前記種子供給装置１７を設けた移送台フレーム５と、該種子供給装置１７を設けた移送台フレーム５の移送方向上手側の移送台フレーム５との間に設けた回転伝動部３０には、減速手段３５およびワンウェイクラッチ３６を設けた播種装置としたものである。
請求項５の発明は、前記種子供給装置１７を設けた移送台フレーム５の移送方向上手側の移送台フレーム５には、前記床土供給装置１５、または、前記床土供給装置１５および灌水装置、あるいは、移送手段２のみの何れかを設けた播種装置としたものである。
請求項６の発明は、前記回転伝動部３０は、上手側移送台フレーム５に設けた上手側伝達歯車３１と、下手側移送台フレーム５に設けた下手側歯車３２と、前記上手側伝達歯車３１と前記下手側歯車３２に掛け回したチェン３３とを有し、回転伝動部３０の上手側伝達歯車３１と下手側歯車３２との歯数を相違させて前記減速手段３５を構成し、前記下手側歯車３２にワンウェイクラッチ３６を内蔵させて構成した播種装置としたものである。
【発明の効果】
【０００６】
請求項１の発明では、  育苗容器を移送する移送台１を、移送手段２を有する移送台フレーム５にそれぞれ分割形成し、上手側移送台フレーム５と下手側移送台フレーム５との間に設けた回転伝動部３０に、移送方向上手側から移送方向下手側へ減速して回転伝達する減速手段３５を設けているので、育苗容器を連続してしかも隙間のない移送が可能になり、無駄のない土や種子の供給が可能となる。
請求項２の発明では、各回転伝動部３０のうち減速手段３５を設けた回転伝動部３０には、ワンウェイクラッチ３６を設けているので、減速手段３５により移送中の育苗容器の移動速度の速度差による抵抗をワンウェイクラッチ３６により吸収でき、これにより、移送手段２に掛かる負荷を軽減することができ、育苗容器の隙間のない移送と移送抵抗の発生防止とを両立させることができる。
請求項３の発明では、後続育苗容器が先行育苗容器を押すと、ワンウェイクラッチ３６が空転する構成としているので、移送手段２に掛かる負荷をワンウェイクラッチ３６が吸収し、育苗容器の隙間のない移送と移送抵抗の発生防止とを両立させることができる。
請求項４の発明では、各移送台フレーム５のうち、前記種子供給装置１７を設けた移送台フレーム５と、該種子供給装置１７を設けた移送台フレーム５の移送方向上手側の移送台フレーム５との間に設けた回転伝動部３０には減速手段３５およびワンウェイクラッチ３６を設けているので、少なくとも、種子供給装置１７の下方にて先行育苗容器と後行育苗容器とは隙間なく連続移送され、種子が育苗容器から溢れ出るのを防止でき播種コストを低減できる。
請求項５の発明では、前記種子供給装置１７を設けた移送台フレーム５の移送方向上手側の移送台フレーム５には、前記床土供給装置１５または前記床土供給装置１５および灌水装置、あるいは、移送手段２のみを設けているので、少なくとも、種子供給装置１７における隙間のない育苗容器の移送を実現でき、播種装置の製造コストダウンを図ることができる。
請求項６の発明では、回転伝動部３０に、減速手段３５とワンウェイクラッチ３６とを簡単に設けることができ、既存の播種装置であっても、回転伝動部３０を交換するだけで、育苗容器の隙間のない移送と移送抵抗の発生防止とを実現できる。
【図面の簡単な説明】
【０００７】
【図１】播種装置の側面図。
【図２】移送台フレームの一部概略平面図。
【図３】同概略側面図。
【図４】回転伝動部の側面図。
【図５】回転伝動部の平面図。
【図６】ワンウェイクラッチの模式図。
【発明を実施するための形態】
【０００８】
本発明の一実施形態を図面により説明すると、１は育苗容器に床土等を供給する供給装置等を設けた播種装置の育苗容器を移送する移送台であり、移送台１には育苗容器を移送する任意の移送手段（搬送コンベア）２を設ける。この移送手段２は育苗容器を移送できればよく、移送ベルトあるいは移送ロールにより構成する。
本実施形態では、移送台１を、支脚３を有する移送台フレーム５の左右一対のフレーム部材６の間に前記移送ロール７のロール回転軸８を軸装し、この移送ロール７を移送方向に複数並設して構成している（図１〜図３）。
【０００９】
各ロール回転軸８の左右の何れか一側には移送伝達歯車１０を固定状態に取付け、各移送伝達歯車１０には無端状のチェン１１を掛け回し、コンベア駆動モータ１２によりチェン１１を回転させて移送ロール７を駆動回転させている。
１２Ａ、１２Ｂは歯車、１２Ｃはチェンである。
１３は各移送ロール７に回転伝達するチェン１１を支持するフレーム部材６に設けたチェン支持レールであり、フレーム部材６に対して上下自在に取付ける（図３、なお、図３はフレーム部材６の内側から見た側面図である）。
なお、前記移送手段２を移送ベルトにより構成する場合は、図２のロール回転軸８の移送ロール７の部分にプーリーを設け、各プーリーに移送ベルトを掛け回して構成すればよい。
【００１０】
移送台１の始端側の上方所定位置には床土供給装置（土供給装置）１５を設ける。床土供給装置１５は下方を移動する育苗容器に上方から床土を落下させて供給する。
床土供給装置１５の移送方向下手側の前記移送台１には、床土均平回転ブラシ１６を設ける。床土均平回転ブラシ１６は床土供給装置１５にて予め余分に前記育苗容器へ供給した床土を上側の所定量分掻取りながら均平すると共に、育苗容器の前後および左右の壁上面の土を除去する。
床土供給装置１５の移送方向下手側の移送台１には、育苗容器に種子を供給する種子供給装置１７を設ける。種子供給装置１７は上部に種子供給ホッパー１８を有し、種子供給ホッパー１８の下方に種子を繰出す軸心が左右方向の大径の横軸繰出ロール１９を設けて構成している。
【００１１】
図１の播種装置では、種子供給装置１７の移送方向上手側に上手側灌水装置２０を設け、種子供給装置１７の移送方向下手側に下手側灌水装置２１を設けている。
上手側灌水装置２０および下手側灌水装置２１の構成は任意であるが、一例を示すと、前後一対の左右方向の灌水横筒部２２に左右方向に所定間隔を置いてノズル孔を複数形成して構成し、上手側灌水装置２０には、図示は省略するが、水量計（圧力計）と水量調節バルブと開閉バルブとリリーフ弁等を設け、灌水横筒部２２には水源（図示省略）に接続したホース（図示省略）を接続する。
【００１２】
上手側灌水装置２０と下手側灌水装置２１は、前記移送台１に着脱自在に取付ける構成とし、育苗容器に供給した床土に灌水する場合、床土の性状や種子の品種等により、種子供給の前に灌水する方法を「前灌水」と当業者は呼び、種子供給の後に床土および種子に灌水する方法を「後灌水」と当業者は呼んでおり、この「前灌水」と「後灌水」とに対応するように、上手側灌水装置２０と下手側灌水装置２１は取付位置の変更あるいは灌水開始および停止状態の切替可能に構成している。
なお、「前灌水」と「後灌水」の上手側灌水装置２０と下手側灌水装置２１を設置するためのスペースの関係で、上手側灌水装置２０と下手側灌水装置２１の設置位置に対応させて前記種子供給装置１７を前後に取付位置変更自在に構成してもよい。
【００１３】
種子供給装置１７の下手側には、覆土供給装置２５を設ける。覆土供給装置２５の構成は任意であり、上方より下方を通過する育苗容器に覆土を供給できればよい。
２６は育苗容器の縁に乗った種子や土を除去する回転ブラシ、２７は操作パネル、２８は土受け回収シート、２９は水受け回収シート、２９Ａは種子回収篭である。
【００１４】
しかして、市場における播種装置は、時間当たり２００個（箱）から２０００個（箱）までの育苗容器を播種しうるように播種能力に差があり、この播種能力の差によって移送台１の長さが相違し、播種能力が高く、時間当たりの播種可能な育苗容器数が多い播種装置では育苗容器の搬送速度は速くなり、速い移送速度で移送中の育苗容器に種子等を供給するには、各供給装置との間隔を広くする必要が生じ、播種能力の高い播種装置の移送台１は播種能力の低い播種装置の移送台１に比して全長が長くなる傾向となる。
【００１５】
すなわち、育苗容器の移送速度が速いと、育苗容器の床土に灌水しても直ぐに染み込まず、土正面の水中に種子が浮遊して均等な播種ができという不具合が生じるので、必然的に移送台１の全長が長くなることになる。
一方、この全長の長い移送台１の運搬・設置は容易でないので、本発明では播種能力の高い播種装置を含めた播種装置の移送台１を、支脚３と移送手段２とを有する移送台フレーム５に予め分割形成した移送台フレーム５を複数連結する構成とし、各移送台フレーム５の始端部と終端部との間には移送方向上手側移送台フレーム５の移送手段２の回転を、移送方向下手側の移送台フレーム５の移送手段２に伝達する回転伝動部３０を設けている。
【００１６】
回転伝動部３０は、移送方向上手側移送台フレーム５に設けた上手側伝達歯車３１と、移送方向下手側移送台フレーム５に設けた下手側歯車３２と、上手側伝達歯車３１と下手側歯車３２の間に掛け回すチェン３３とにより構成する。
すなわち、移送方向上手側移送台フレーム５の終端部の移送ロール７のロール回転軸８の、前記移送伝達歯車１０を設けていない端部に上手側伝達歯車３１を固定状態に取付け、移送方向下手側の移送台フレーム５の始端部の移送ロール７のロール回転軸８の、前記移送伝達歯車１０を設けていない端部に下手側歯車３２を固定状態に取付け、この上手側伝達歯車３１と下手側歯車３２の間にチェン３３を掛け回して前記回転伝動部３０を構成している。
【００１７】
この場合、複数設けた回転伝動部３０のうち、所定部分の回転伝動部３０あるいは全ての回転伝動部３０には、移送方向下手側の移送手段２の回転を、移送方向上手側の移送手段２の回転よりも減速する減速手段３５を設ける。
そのため、育苗容器を連続してしかも隙間のない移送が可能になり、無駄のない種子等の供給が可能となる。
前記減速手段３５の構成は任意であるが、回転伝動部３０の下手側歯車３２と上手側伝達歯車３１の歯数を相違させることで構成し、本実施形態では、上手側伝達歯車３１の歯数を１６丁とし、下手側歯車３２の歯数を１７丁と歯数を多くしている。
【００１８】
しかして、回転伝動部３０に減速手段３５を設けると、各育苗容器は隙間なく移送されるが、移送方向の上手側移送台フレーム５から移送された後行育苗容器が下手側移送台フレーム５に乗り移るとき、後行育苗容器が先行育苗容器を押すと、下手側移送台フレーム５の移送手段２に負荷を与えることになり、下手側移送台フレーム５の移送手段２のみ耐久性が低下するということになる。
そこで、複数設けた回転伝動部３０のうち、所定部分の回転伝動部３０あるいは全ての回転伝動部３０には、移送方向上手側と移送方向下手側の伝動経路中に、ワンウェイクラッチ３６を設け、減速手段３５による移送手段２への負荷という不具合を解消し、育苗容器の隙間のない連続移送と、移送手段２への負荷の軽減とを両立させている。
【００１９】
ワンウェイクラッチ３６は前記回転伝動部３０の下手側歯車３２に内蔵して設け、ワンウェイクラッチ３６内蔵下手側歯車３２は上手側移送台フレーム５から乗り移る後行育苗容器が下手側移送台フレーム５の移送中の先行育苗容器を押すと、ワンウェイクラッチ３６が空転する構成とする。
ワンウェイクラッチ３６の具体的構成は任意であり、一例を示すと、ロール回転軸８に回転体４０を設け、回転体４０の外周面には放射方向に突出する突起４１を設け、下手側歯車３２の内周面と突起４１の外面との間に楔状の溝４２を形成し、溝４２内にボール４３とバネ４４を設け、バネ４４は溝４２の幅狭部側にボール４３が常時移動するように付勢する構成とする。
【００２０】
そのため、図６において、下手側歯車３２が時計回転方向に回転すると、ボール４３はバネ４４に付勢されて下手側歯車３２の内周面と突起４１の外面との間の溝４２の幅狭部に食い込みワンウェイクラッチ３６は入り状態になって、ロール回転軸８に下手側歯車３２の回転を伝達し、下手側移送台フレーム５の移送手段２の移送ロール７を駆動して育苗容器を移送する。
【００２１】
次に、チェン３３により伝達される下手側歯車３２の回転（上手側回転）に対して下手側移送台フレーム５のロール回転軸８の回転が相対的に遅くなって、下手側歯車３２と回転体４２の間に負荷（抵抗）が発生すると、回転体４０の突起４１は下手側歯車３２に対して反時計回りに回転し、ボール４３は溝４２の幅広部に移動し、ボール４３による下手側歯車３２の内周面と突起４１の外面との間の食い込みを解除し、これにより、ワンウェイクラッチ３６は遮断状態（クラッチ切り状態）になって、回転体４０とロール回転軸８は下手側歯車３２に対して空転する。
【００２２】
すなわち、上手側移送台フレーム５から乗り移る後行育苗容器が下手側の移送台フレーム５の移送中の先行育苗容器を押すと、ワンウェイクラッチ３６の回転伝達が遮断されて（空転状態）、下手側移送台フレーム５の移送手段２の移送ロール７は、上手側移送台フレーム５の移送ロール７に対して相対的に空転状態となり、先行育苗容器は後続育苗容器に押されて移送され、連続移送されている最後尾の育苗容器が下手側移送台フレーム５の移送手段２に乗り移ると、後続の育苗容器による押し出し力から解放されて、ワンウェイクラッチ３６は接続状態（クラッチ入り状態）となって下手側移送台フレーム５の移送手段２により移送される。
【００２３】
移送台１の複数の移送台フレーム５を連結する部分には回転伝動部３０がそれぞれ設けられるが、各移送台フレーム５のうち、前記種子供給装置１７を設けた移送台フレーム５と、該種子供給装置１７を設けた移送台フレーム５の移送方向上手側の移送台フレーム５との間の回転伝動部３０に減速手段３５とワンウェイクラッチ３６を設けると、育苗容器の隙間のない連続移送と、移送手段２への負荷の軽減とを両立させつつ、高価な種子のロス発生を抑制でき、播種コストを低減できて、好適である。
また、前記種子供給装置１７を設けた移送台フレーム５の移送方向上手側の移送台フレーム５はどのようなものでもよく、上手側の移送台フレーム５には単独の床土供給装置１５のみを設ける場合と、床土供給装置１５および灌水装置２０の両方を設ける場合と、移送手段２のみを設ける場合の何れでもよい。
【００２４】
回転伝動部３０には、上手側伝達歯車３１と下手側歯車３２とに掛け回したチェン３３を緊張させるテンション歯車４７を設ける。テンション歯車４７はテンションアーム４８の一端に設け、テンションアーム４８の中間部を連結枠４９に軸５０により回動自在に取り付ける。テンションアーム４８の他端にはバネ５１の一端を係止し、バネ５１の他端を連結枠４９に設けたテンション調節穴５２に係止する。テンション調節穴５２は軸５０の中心より距離を変えて複数設け、バネ５１の他端を選択係止する。
【００２５】
そのため、バネ５１のテンション調節穴５２への取付位置を変えることで、テンションアーム４８の下方向への付勢力を変化させ、テンションアーム４８に取り付けたテンション歯車４７によるチェン３３の張り具合を調節させることができる。
連結枠４９の上部は内側に屈曲させ、屈曲部５３をフレーム部材６の上面にボルト５４により着脱自在に取付ける。
【００２６】
（実施形態の作用）
本発明は、上記構成であり、播種装置の移送台１の始端部に、育苗容器を供給すると、育苗容器は移送ロール７により床土供給装置１５の下方に至り、床土供給装置１５にて床土の供給を受け、床土供給装置１５で床土の供給を受けた育苗容器は均平回転ブラシ１６により、育苗容器に余分に供給した床土を所定量掻取りながら均平される。
【００２７】
床土が均平された育苗容器は上手側灌水装置２０の下方にて灌水されて、灌水された水が床土に染み込んだ状態となるまで、上手側灌水装置２０から所定時間掛けて種子供給装置１７の下方まで移送され、種子供給装置１７にて種子の供給を受け、更に移送されて覆土供給装置２５の下方に至り、覆土の供給を受ける。
【００２８】
しかして、土や種子の供給装置を設けた移送台１は、播種装置の時間当たりの播種可能な育苗容器数の相違による播種能力の能力差により、移送台１の長さが相違し、播種能力の低い播種装置では時間当たり播種できる育苗容器の数が少なく、その分、育苗容器の搬送速度が遅くなるが、反対に、播種能力が高く、時間当たりの播種可能な育苗容器数が多い播種装置では育苗容器の搬送速度は速くなり、速い移送速度で移送中の育苗容器に種子等を供給するには、各供給装置との間隔を広くする必要が生じ、播種能力の高い移送台１は播種能力の低い移送台１に比して全長が長くなる傾向となり、播種装置は、その播種能力に応じて、単独の移送台フレーム５上に土や種子の供給装置の全て設置しているものと、本発明のように、高い播種能力を有する播種装置では複数の移送台フレーム５を連結して使用する場合とがある。
【００２９】
本発明のように、播種能力の高い播種装置の移送台１は、予め分割形成して、独立して移送手段２を有する移送台フレーム５を、育苗容器の移送方向に複数連結して構成することになり、各移送台フレーム５の始端部と終端部との間には、上手側移送台フレーム５の移送手段２の回転を、移送方向下手側の移送台フレーム５の移送手段２に伝達する回転伝動部３０を設けることになり、回転伝動部３０は、上手側移送台フレーム５に設けた上手側伝達歯車３１と、下手側移送台フレーム５に設けた下手側歯車３２と、上手側伝達歯車３１と下手側歯車３２の間に掛け回すチェン３３とにより構成する。
【００３０】
したがって、上手側移送台フレーム５の移送手段２のロール回転軸８の回転を、回転伝動部３０の上手側伝達歯車３１がチェン３３を介して移送方向下手側の移送台フレーム５の移送手段２の下手側歯車３２に伝達され、下手側歯車３２を設けたロール回転軸８により下手側移送台フレーム５の移送手段２を駆動して、育苗容器を移送して播種する。
すなわち、単独の移送台フレーム５の移送ロール７は、ロール回転軸８の各移送伝達歯車１０をチェン１１により連動させて駆動回転し、育苗容器を移送し、複数並設した移送台フレーム５の移送手段２は回転伝動部３０により上手側から下手側に駆動回転を伝達して作動させている。
【００３１】
この場合、複数設けた回転伝動部３０のうち、所定部分の回転伝動部３０あるいは全ての回転伝動部３０には、移送方向下手側の移送手段２の回転を、移送方向上手側の移送手段２の回転よりも減速する減速手段３５を設けた構成としているので、育苗容器を連続してしかも隙間のない移送が可能になり、無駄のない供給が可能となる。
しかし、上手側移送台フレーム５から移送された後行育苗容器が下手側移送台フレーム５に乗り移るとき、後行育苗容器が先行育苗容器を押すと、下手側移送台フレーム５の移送手段２に負荷を与えることになり、下手側移送台フレーム５の移送手段２のみ耐久性が低下するということになるが、本発明では複数設けた回転伝動部３０のうち、所定部分の回転伝動部３０あるいは全ての回転伝動部３０には、移送方向上手側と移送方向下手側の伝動経路中にワンウェイクラッチ３６を設けているので、減速手段３５と相俟って育苗容器の隙間のない連続移送と、移送手段２への負荷の軽減とを両立させることができる。
【００３２】
減速手段３５およびワンウェイクラッチ３６の構成は任意であるが、一例を示すと、前記回転伝動部３０の下手側歯車３２にワンウェイクラッチ３６を内蔵し、下手側歯車３２と上手側伝達歯車３１の歯数を相違させることで前記減速手段３５を構成し、上手側伝達歯車３１に対して下手側歯車３２の歯数を多くしているので、回転伝動部３０に簡単にワンウェイクラッチ３６を設けることができ、下手側歯車３２を交換するだけで、他の回転伝動部３０を共用できるので、この点でも、構成を簡素にしてコストダウンとすることができる。
【００３３】
ワンウェイクラッチ３６付き下手側歯車３２は、上手側移送台フレーム５から乗り移る後行育苗容器が下手側の移送台フレーム５の移送中の先行育苗容器を押すと、ワンウェイクラッチ３６が空転する構成としているので、上手側移送台フレーム５から乗り移る後行育苗容器が下手側の移送台フレーム５の移送中の先行育苗容器を押すと、この押出力をワンウェイクラッチ３６が空転することにより吸収し、下手側移送台フレーム５の移送手段２の負荷を軽減する。
【００３４】
しかして、ワンウェイクラッチ３６はロール回転軸８に回転体４０を設け、回転体４０の外周面には突起４１を設け、下手側歯車３２の内周面と突起４１の外面との間に楔状の溝４２を形成し、溝４２内にボール４３とバネ４４を設け、バネ４４は溝４２の幅狭部側に移動するように付勢しているので、下手側歯車３２が図６において時計回転方向に回転すると、ボール４３はバネ４４に付勢されて下手側歯車３２の内周面と突起４１の外面との間に食い込みワンウェイクラッチ３６は入り状態になって、ロール回転軸８に下手側歯車３２の回転を伝達し、ロール回転軸８の回転が下手側歯車３２に対して相対的に遅くなると、回転体４０の突起４１は相対的に下手側歯車３２に対して反時計回りに回転し、ボール４３は溝４２の幅広部に移動し、ボール４３による下手側歯車３２の内周面と突起４１の外面との間の食い込みを解除してワンウェイクラッチ３６は遮断状態になって、ロール回転軸８は空転する。
【００３５】
すなわち、上手側移送台フレーム５から乗り移る後行育苗容器が下手側の移送台フレーム５の移送中の先行育苗容器を押すと、ワンウェイクラッチ３６が遮断されて空転状態となるので、下手側移送台フレーム５の移送手段２の移送ロール７は上手側移送台フレーム５の移送ロール７に対して相対的に空転状態となり、先行育苗容器は後続育苗容器に押されて移送され、連続移送されている最後尾の育苗容器が下手側移送台フレーム５の移送手段２に乗り移ると、後続の育苗容器による押出から解放されて、ワンウェイクラッチ３６は接続状態となって下手側移送台フレーム５の移送手段２により移送される。
【００３６】
しかして、複数の移送台フレーム５を連結して構成した移送台１には、複数の回転伝動部３０が設けられるが、各移送台フレーム５のうち、種子供給装置１７を設けた移送台フレーム５と、該種子供給装置１７を設けた移送台フレーム５の移送方向上手側の移送台フレーム５との間の回転伝動部３０には減速手段３５とワンウェイクラッチ３６を設けているので、高価な種子のロス発生を抑制でき、播種コストを低減できて、好適である。
【００３７】
また、種子供給装置１７を設けた移送台フレーム５の移送方向上手側の移送台フレーム５には、前記床土供給装置１５または前記床土供給装置１５および上手側灌水装置２０、あるいは、移送手段２のみを設けているので、種々の播種装置において、隙間のない育苗容器の連続移送と、移送手段２への負荷の軽減とを両立させることができる。
【符号の説明】
【００３８】
１…移送台、２…移送手段、５…移送台フレーム、６…フレーム部材、７…移送ロール、８…ロール回転軸、１０…移送伝達歯車、１１…チェン、１２…コンベア駆動モータ、１５…床土供給装置、１６…床土均平回転ブラシ、１７…種子供給装置、１８…種子供給ホッパー、１９…横軸繰出ロール、２０…上手側灌水装置、２１…下手側灌水装置、２２…灌水横筒部、２５…覆土供給装置、３０…回転伝動部、３１…上手側伝達歯車、３２…下手側歯車、３３…チェン、３５…減速手段、３６…ワンウェイクラッチ、４０…回転体、４１…突起、４２…溝、４３…ボール、４４…バネ、４７…テンション歯車、４９…連結枠、５０…軸、５１…バネ、５２…テンション調節穴、５３…屈曲部、５４…ボルト。
【図１】
2019187254.tif 000003
【図２】
2019187254.tif 000004
【図３】
2019187254.tif 000005
【図４】
2019187254.tif 000006
【図５】
2019187254.tif 000007
【図６】
2019187254.tif 000008